(57)【特許請求の範囲】
【請求項１】
カップ部を有する衣類であって、
一対のカップ部、土台部、バック部および肩ストラップを含み、
前記土台部は、前記一対のカップ部の下縁部に取り付けられ、
さらに、前記土台部の脇部において、前記土台部の幅方向に沿って芯材が配置され、
前記バック部は、前記土台部の脇部に、前記芯材を介して取り付けられ、
前記肩ストラップの一端が、前記カップ部の上部に取り付けられ、前記肩ストラップの他端が、前記バック部の上部に取り付けられ、
前記バック部は、テープ状の補強部を含み、
前記テープ状の補強部の一端が、前記肩ストラップと前記バック部との連結部付近に取り付けられ、前記テープ状の補強部の他端が、前記芯材の上端から一定距離を置いた下側の位置で、前記芯材に取り付けられ、
前記バック部の上辺部の肌側および下辺部の肌側は、平坦であることを特徴とする、カップ部を有する衣類。
【請求項２】
前記芯材は、上端側が前記カップ部側に傾斜して配置されていることを特徴とする、請求項１記載のカップ部を有する衣類。
【請求項３】
前記バック部の上辺部が、肌側と反対側への折り返し始末となっている、請求項１または２記載のカップ部を有する衣類。
【請求項４】
前記バック部の下辺部が、ヘムパワーネットで形成されていることを特徴とする、請求項１から３のいずれか一項に記載のカップ部を有する衣類。
【請求項５】
前記テープ状の補強部の他端が、前記芯材の長さ方向の略中央部に取り付けられていることを特徴とする、請求項１から４のいずれか一項に記載のカップ部を有する衣類。
【請求項６】
前記衣類が、ブラジャーである、請求項１から５のいずれか一項に記載のカップ部を有する衣類。
【発明の詳細な説明】
【技術分野】
【０００１】
本発明は、カップ部を有する衣類に関する。
【背景技術】
【０００２】
近年、ブラジャー等のカップ部を有する衣類の機能として、体型補整（シェイピング）機能が注目されている。この体型補整機能とは、ブラジャー等を着用することにより、身体の脇部分を引き締め、すっきりとしたシルエットに整える機能をいう。一方、前記体型補整機能を有するブラジャー等には、着用時に圧迫感がある、身体の脇部分にブラジャー等のバック部が食い込む等の問題があった。
【０００３】
前記問題を解決するための技術として、例えば、ブラジャーの袖（バック部）が、身体に一定の面積をもって接触するストレッチ性のある構成材からなる袖本体と、この袖本体よりもストレッチ性が大なる構成材からなる細紐状のストレッチテープとを有し、前記ストレッチテープは、前記各袖本体に対して少なくとも３本、前記各袖本体の長さ方向に沿い、かつ上下方向に間隔をあけて配置したことを特徴とするブラジャーが提案されている（特許文献１参照）。
【先行技術文献】
【特許文献】
【０００４】
【特許文献１】特開２００５−１１３３２２号公報
【発明の概要】
【発明が解決しようとする課題】
【０００５】
前記技術では、バック部の上下辺にストレッチテープを配置することが想定されている。そのため、前記技術においては、バック部の上下辺での締め付けが強く、バック部が身体に食い込むのを防ぐことができなかった。また、前記技術は、身体の脇全体の引き締めを目的としており、着用時の圧迫感については、解決できていなかった。さらに、体型補整機能のさらなる向上も望まれている。
【０００６】
そこで、本発明は、十分な体型補整機能を有し、圧迫感がなく、身体への食い込みが生じにくい、カップ部を有する衣類を提供することを目的とする。
【課題を解決するための手段】
【０００７】
前記目的を達成するために、本発明のカップ部を有する衣類は、
カップ部を有する衣類であって、
一対のカップ部、土台部、バック部および肩ストラップを含み、
前記土台部は、前記一対のカップ部の下縁部に取り付けられ、
さらに、前記土台部の脇部において、前記土台部の幅方向に沿って芯材が配置され、
前記バック部は、前記土台部の脇部に、前記芯材を介して取り付けられ、
前記肩ストラップの一端が、前記カップ部の上部に取り付けられ、前記肩ストラップの他端が、前記バック部の上部に取り付けられ、
前記バック部は、テープ状の補強部を含み、
前記テープ状の補強部の一端が、前記肩ストラップと前記バック部との連結部付近に取り付けられ、前記テープ状の補強部の他端が、前記芯材の上端から一定距離を置いた下側の位置で、前記芯材に取り付けられ、
前記バック部の上辺部の肌側および下辺部の肌側は、平坦であることを特徴とする。
【発明の効果】
【０００８】
本発明によれば、十分な体型補整機能を有し、圧迫感がなく、身体への食い込みが生じにくい、カップ部を有する衣類を提供することができる。このため、本発明は、体型補整機能と着用感の良さとを実現することができ、極めて有用である。
【図面の簡単な説明】
【０００９】
【図１】図１は、本発明のカップ部を有する衣類の一例である、第１の実施形態に係るブラジャーの斜視図である。
【図２】図２は、前記第１の実施形態に係るブラジャーのバック部付近の拡大図である。
【図３】図３（ａ）は、前記第１の実施形態に係るブラジャーのバック部を図２におけるＩ−Ｉ方向に見た断面図である。図３（ｂ）（ｃ）は、前記第１の実施形態のその他の例を示す図である。
【図４】図４は、本発明のカップ部を有する衣類の一例である、第２の実施形態に係るブラジャーのバック部付近の拡大図である。
【図５】図５は、本発明のカップ部を有する衣類のその他の例を示す斜視図である。（ａ）は、第３の実施形態に係るブラキャミソールの一例、（ｂ）は、第４の実施形態に係るブラキャミソールの一例である。
【発明を実施するための形態】
【００１０】
本発明のカップ部を有する衣類について、例をあげて説明する。ただし、本発明は、以下の例に限定および制限されない。
【００１１】
（第１の実施形態）
図１および図２に、本発明のカップ部を有する衣類の第１の実施形態に係るブラジャー１００を示す。図１は、ブラジャー１００の斜視図、図２は、ブラジャー１００のバック部付近の拡大図である。本実施形態のブラジャー１００は、一対のカップ部１０１、土台部１１０、バック部１０３および肩ストラップ１０４を備えた、いわゆる３／４カップタイプのブラジャーである。本実施形態において、土台部１１０は、一対のカップ部１０１の下縁部に取り付けられ、肩ストラップ１０４の一端が、カップ部１０１の上部に取り付けられ、肩ストラップ１０４の他端が、バック部１０３の上部に取り付けられている。また、本実施形態では、カップ部１０１と土台部１１０との連結部に、ワイヤー部１０２を有する。本発明において、ワイヤー部１０２は必須の構成要素ではないが、ブラジャーの保形性を高めるためには、ワイヤー部１０２を有することが好ましい。土台部１１０の脇部には、土台部１１０の幅方向に沿って芯材１０５が配置されている。ここで、「幅方向」とは、着用時における上下方向をいう。そして、バック部１０３は、土台部１１０の脇部に、芯材１０５を介して取り付けられている。
【００１２】
図２に示すように、本実施形態において、バック部１０３は、テープ状の補強部（以下、「補強部」ともいう。）１０６を含む。補強部１０６の一端は、肩ストラップ１０４とバック部１０３との連結部Ｓ付近に取り付けられ、その他端は、芯材１０５の上端から一定距離を置いた下側の位置である、芯材１０５の略中央部に取り付けられている。ここで、「上」「下」とは、着用時における上下を意味する。これにより、バック部１０３において補強部１０６よりも上側を構成する部分１０３Ａは、バック部１０３上辺と、芯材１０５と、補強部１０６とで囲まれる三角形状となる。
【００１３】
本実施形態において、補強部１０６は、前述のとおり、肩ストラップ１０４と、土台部１１０の脇部に取り付けられている芯材１０５とに連結されている。これにより、補強部１０６が肩ストラップ１０４および土台部１１０の両方から引かれ、補強部１０６が、身体の脇部分を押さえて引き締める。
【００１４】
本実施形態において、バック部１０３の上辺部Ｌ１の肌側および下辺部Ｌ２の肌側は平坦であり、端始末が凹凸のない仕様となっている。ここで、「上辺部」とは、バック部１０３における上辺を含む周辺部、「下辺部」とは、バック部１０３における下辺を含む周辺部を意味する。従来のテープづかいによる端始末の場合には、着用者の肌への跡つきによる不快感や、部分的な圧迫による強い締め付け感があった。本実施形態のように、肌側が平坦で凹凸のない端始末とすることにより、補強部１０６で押さえた身体脇部分の肉を上下に分散させることができ、バック部１０３が身体に食い込んで段差が生じるのを防ぐことができる。
【００１５】
具体的には、本実施形態において、上辺部Ｌ１は、肌側と反対側への折り返し始末（ワサ始末）となっている。そして、前述のとおり、補強部１０６よりも上側を構成する部分１０３Ａは、バック部１０３上辺と芯材１０５と補強部１０６とで囲まれた三角形状となっている。これにより、補強部１０６が身体の脇部分を押さえる力を、上方向に分散させることができる。ここで、補強部１０６が、バック部１０３の長さ方向と平行に配置され、補強部１０６よりも上側を構成する部分１０３Ａが三角形状にならない場合には、補強部１０６が身体の脇部分に食い込み、段差が生じてしまう。そこで、本実施形態のように、補強部１０６を斜めに配置し、三角形状の前記部分１０３Ａを形成することによって、力を分散させ、補強部１０６が身体に食い込むのを防ぐことができる。また、本実施形態において、下辺部Ｌ２には、ヘムパワーネットが使用されている。このように、バック部１０３の下辺部をテープレス始末にすることによって、補強部１０６が押さえた肉を、下方向に分散することができる。
【００１６】
本実施形態において、身体の脇部分を押さえているのは補強部１０６であり、バック部１０３の上下辺の締め付け力は強くない。そのため、着け心地が軽く、圧迫感が生じない。また、本実施形態において、三角形状の前記部分１０３Ａは、身体の脇部分において、脇付近の肉が最もやわらかい箇所に配置される。これにより、肉のやわらかい部分を前記部分１０３Ａでやさしく押さえることができ、やわらかい着け心地を得ることができる。
【００１７】
図３（ａ）に、本実施形態のブラジャー１００のバック部１０３を、図２におけるＩ−Ｉ方向に見た断面図を示す。図示のように、肌側から、補強部１０６よりも下側を構成する部分１０３Ｂ、補強部１０６よりも上側を構成する部分１０３Ａ、補強部１０６の順に配置され、これらの部材は、補強部１０６の上辺および下辺に沿って長さ方向に縫着することで互いに固着されている。図示のとおり、前記部分１０３Ａは、バック部１０３の上辺部Ｌ１を形成しており、生地を肌側と反対側に向けて二つに折り返す折り返し始末によって形成されている。ただし、本実施形態のように、生地が完全に重なるように折り返されている場合には、生地を折り返す方向は、肌側でも、肌側と反対側でもよい。なお、本発明は、例えば、図３（ｂ）に示すように、前記部分１０３Ａおよび前記部分１０３Ｂが一つの部材で形成されていてもよい。この場合には、前記部分１０３Ａに相当する部分と前記部分１０３Ｂに相当する部分とを縫着する工程が不要となるため、縫製の便宜上好適である。
【００１８】
本実施形態において、補強部１０６よりも上側を構成する部分１０３Ａに使用される素材は、特に制限されないが、例えば、パワーネットまたはレース編地等があげられる。また、補強部１０６よりも下側を構成する部分１０３Ｂに使用される素材は、特に制限されないが、例えば、フリーカット、幅広のゴム素材、レース編地、パワーネット、ヘムパワーネット等があげられる。本実施形態では、前記部分１０３Ａには、パワーネット、前記部分１０３Ｂには、ヘムパワーネットが使用されており、両者が別の素材となっているが、本発明はこれに限られず、同じ素材で形成されていてもよい。なお、前記部分１０３Ｂも、前記部分１０３Ａと同様に、下辺部Ｌ２を折り返し始末としても良い。また、前記部分１０３Ａに端始末が不要であるヘムパワーネットを用い、前記部分１０３Ｂにパワーネットを用いて下辺部Ｌ２を折り返す構成としてもよい。
【００１９】
本実施形態では、前述のとおり、バック部１０３の上辺部Ｌ１は折り返し始末がされており、締め付け感がないが、補強部１０６によって脇部分を押さえるため、着用時にバック部１０３の上辺部に不安定感を感じることはない。
【００２０】
本実施形態において、補強部１０６の一端は、肩ストラップ１０４とバック部１０３との連結部Ｓ付近に取り付けられている。ここで、連結部Ｓ付近とは、バック部１０３の上辺上における、肩ストラップ１０４が引く力を失わない位置の範囲をいう。補強部１０６の一端の取り付け位置は、肩ストラップ１０４との連結部Ｓから半径２ｃｍの円の範囲内が好ましく、特に好ましくは、前記連結部Ｓである。なお、本実施形態では、肩ストラップ１０４は、金具を介してバック部１０３と連結される構成であるが、後述のとおり、金具を介さずに直接バック部１０３に連結される構成としてもよい。
【００２１】
本実施形態において、補強部１０６の他端は、芯材１０５の長さ方向の略中央部に取り付けられている。しかし、本発明はこれに限られず、補強部の他端は、芯材の上端から一定距離を置いた下側の位置で、芯材に取り付けられていればよい。ただし、補強部の芯材との取り付け位置がバック部の上辺に近すぎると、補強部が身体の脇部分を押さえる力を適切に分散させることができず、補強部が身体に食い込み、段差が生じてしまう。そこで、前記「一定距離」とは、バック部の幅に応じて、食い込みが生じ難い適切な距離をいい、例えば、芯材の上端から芯材の全長の１／３よりも下側が好ましく、さらに好ましくは、芯材の中央部である。
【００２２】
本実施形態において、芯材１０５は、上端側がカップ部１０１側に傾斜して配置されている。これにより、芯材１０５がバック部１０３の長さ方向に対して直交するように配置される場合と比較して、広い範囲で身体の脇部分を押さえることができるため、好ましい。芯材１０５の傾斜角度は、特に制限されず、デザインに応じて、補強部１０６の位置との調整を図りながら、適宜設定することができる。
【００２３】
本実施形態において、補強部１０６に使用できる素材は、特に制限されないが、例えば、テープ素材、ストレッチレース（ナローレース）等があげられる。また、本実施形態において、芯材１０５は、例えば、芯地、テープ状部材、可撓性を有する樹脂または金属等により形成することができる。
【００２４】
本実施形態において、バック部１０３の幅は、ワイヤー部１０２の最下点から脇側上端までの高さの１／２程度の幅から、前記高さと同程度の幅となるように設定されており、より好ましくは前記高さと同程度の幅である。このように、本実施形態において、前記幅は、従来のブラジャーと比較して、広く設定されている。これにより、バック部１０３で覆われる範囲が広くなり、バック部１０３による体型補整効果を十分に得ることができるため、好ましい。
【００２５】
本実施形態において、バック部１０３は、背中心端部に連結係止部１０７を有している。ここで、「背中心」とは、本実施形態のブラジャーを着用者が着用したときに、着用者の背中の中央付近となる位置をいう。本実施形態のブラジャーでは、連結係止部１０７として、ホック（例えば、フック・アンド・アイ（鈎ホック））を使用することができるが、他の種類の係止具を使用してもよい。また、バック部１０３が連結係止部１０７を有していなくてもよい。例えば、連結係止部を前中心に設けてフロントホックタイプとしてもよい。また、連結係止部がないタイプ、バック部を結んで係止するタイプであってもよい。
【００２６】
連結係止部１０７としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２７】
本実施形態においては、肩ストラップ１０４の一端は一対のカップ部１０１に取り付けられ、他端はバック部１０３の上部に取り付けられた円環、Ｚ環、エイト環などの係止具１０８Ａを通って反転し、エイト環からなる長さ調節具１０８Ｂに導入されることによって、肩ストラップ１０４の長さ調製が可能な状態で、バック部１０３の上部に取り付けられている。また、肩ストラップ１０４の一端は、バック部１０３の上部に直接固着されても良い。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は、一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００２８】
本実施形態では、バック部１０３の上辺部Ｌ１が折り返し始末となっており、下辺部Ｌ２にヘムパワーネットが使用されている態様について説明したが、本発明はこれに限られない。本発明において、バック部の上辺部および下辺部は、肌側に対して平坦であればよい。肌側に対して平坦で端始末が凹凸のない仕様としては、例えば、外側へテープを貼り付けたり、また、バック部の上辺部および下辺部を肌側と反対側に折り返した状態で、上辺部および下辺部より少し内側部分でそれぞれ縫着し、端部を補強するようにしてもよい。前記「内側」とは、上辺部においては、上辺部よりも下側、下辺部においては、下辺部よりも上側を意味する。また、図３（ｃ）に示すように、上辺部を肌側に折り返し、前記部分１０３Ａの肌側全面に裏打ち布１０３Ｘを設け、上辺部よりも内側の部分で、裏打ち布１０３Ｘと前記部分１０３Ａとを縫着してもよい。また、下辺部を肌側に折り返し、裏打ち布１０３Ｘを前記部分１０３Ｂの肌側にも設けてもよい。その他組合せにより様々なものが可能である。
【００２９】
以上、第１の実施形態としては、３／４カップのブラジャーを例示して説明したが、本発明は、フルカップや１／２カップのブラジャー等にも適用することができる。ただし、１／２カップのブラジャーでは、肩ストラップがカップ部およびバック部を引く力が弱いため、補強部が肩ストラップに引かれて脇部分を押さえる力が弱くなる。したがって、本発明は、フルカップや３／４カップのブラジャーにおいて、好適に用いることができる。また、本発明において、カップ部の態様は制限されない。カップ部には、上下の部材を接ぎ合わせて形成されているもの、モールド成形のもの、パッドが装着されているもの等、種々のタイプを使用することができる。
【００３０】
（第２の実施形態）
図４に、本発明のカップ部を有する衣類の第２の実施形態に係るブラジャー２００を示す。図４は、ブラジャー２００のバック部２０３付近の拡大図である。
【００３１】
本実施形態において、バック部２０３は、バック部２０３の脇側端部Ｍから連結係止部１０７に至るまで、幅が一定である。その他は、前記第１の実施形態と同様である。前記第１の実施形態で説明したように、本実施形態においても、バック部２０３の幅は、従来のブラジャーと比較して広いことが好ましい。このように、バック部２０３の幅全体を一定に、かつ、広く設定することにより、着用時の安定感を高めることができる。バック部２０３の幅全体を一定にするか否かは、実現したいデザインまたは着用感によって、決定することができる。
【００３２】
（第３の実施形態）
次に、図５（ａ）に、本発明のカップ部を有する衣類のその他の例として、ブラキャミソール３００の斜視図を示す。
【００３３】
このブラキャミソール３００のブラジャー相当部分は、図１で説明したブラジャー１００とほぼ同一の概念のもとに設計されている。図１に示したブラジャー１００と同一部分には、同一の符号を付して、重複する説明を省略している。本態様においては、ブラキャミソール３００が、ブラジャー１００の下側に、身頃３０１を有している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００３４】
（第４の実施形態）
図５（ｂ）に本発明のカップ部を有する衣類のその他の例として、ブラキャミソール４００の斜視図を示す。このブラキャミソール４００は、キャミソールの身頃内側にブラジャー相当部分が設けられており、前記ブラジャー相当部分は、図１で示したブラジャー１００とほぼ同一の概念のもとに設計されている。本実施形態においては、ブラキャミソール４００は、ブラジャー相当部分を覆うように身頃４０１を有している。そして、バック部１０３は連結係止部を有しておらず、連結係止部の操作をすることなく着脱ができる態様である。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本実施形態の構成にすることにより、カップ部のデザインにかかわらず、着用時の外観のバリエーションを多様にすることができる。また、カップ部が、アウター着用時において、アウターのシルエットに影響を及ぼすことを軽減できる。
【００３５】
以上、実施の形態の具体例として、ブラジャーおよびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、その他各種のカップ部を有する衣類に適用できる。
【産業上の利用可能性】
【００３６】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３７】
１００、２００  ブラジャー
１０１  カップ部
１０２  ワイヤー部
１０３、２０３  バック部
１０３Ａ  補強部よりも上側を構成する部分
１０３Ｂ  補強部よりも下側を構成する部分
１０３Ｘ  裏打ち布
１０４  肩ストラップ
１０５  芯材
１０６  テープ状の補強部
１０７  連結係止部
１０８Ａ  係止具
１０８Ｂ  長さ調節具
１１０  土台部
３００、４００  ブラキャミソール
３０１、４０１  身頃部
Ｌ１  土台部の上辺部
Ｌ２  土台部の下辺部
Ｓ    肩ストラップとの連結部
Ｍ    土台部の脇側端部
【図１】
0006016063.tif 000002
【図２】
0006016063.tif 000003
【図３】
0006016063.tif 000004
【図４】
0006016063.tif 000005
【図５】
0006016063.tif 000006